(57)【要約】【課題】情報処理装置から受信したドキュメント情報を表示する各ドキュメントビューワーのユーザが、表示されたドキュメント情報から必要とする重要情報を取得する手間と時間を短縮し、効率的に理解を得ることのできるドキュメント情報の表示方法及び表示システムを提供する。【解決手段】各ユーザの属性に関するユーザメタ情報と、ドキュメント情報の内容に関するドキュメントメタ情報とに基づき生成した表示手順情報を、ドキュメント情報とともに送信し、各ユーザのドキュメントビューワーは受信したそれぞれの表示手順情報に従い、ページを順次表示する。【選択図】図４
2010026691.tif 000002
【特許請求の範囲】
【請求項１】
情報処理装置がドキュメントビューワーに複数のページで構成される表示用ドキュメント情報を送信し、前記ドキュメントビューワーが受信した前記表示用ドキュメント情報をページ単位で表示する、ドキュメント情報の表示方法であって、
前記情報処理装置が、前記表示用ドキュメント情報のページ表示順序を定める表示手順情報を生成する表示手順情報生成工程と、
前記表示手順情報を前記表示用ドキュメント情報とともに前記ドキュメントビューワーに送信する表示手順情報送信工程と、
前記ドキュメントビューワーが、受信した前記表示手順情報に従って、前記表示用ドキュメント情報のページを順次表示するドキュメント情報表示工程とを備え、
前記表示手順情報生成工程では、
前記ドキュメントビューワーを使用するユーザの属性に関するユーザメタ情報と、前記表示用ドキュメント情報の内容に関するドキュメントメタ情報とに基づいて、前記表示手順情報を生成する
ことを特徴とするドキュメント情報の表示方法。
【請求項２】
前記ドキュメントメタ情報には、
前記表示用ドキュメント情報を構成するページ毎の重要度情報、セクション毎の重要度情報、または使用されるキーワード毎の重要度情報が含まれる
ことを特徴とする請求項１に記載のドキュメント情報の表示方法。
【請求項３】
前記表示手順情報は、
前記表示用ドキュメント情報の前記セクション単位での表示順序を定め、
前記セクションがページの途中から始まる場合は、当該セクションの開始位置にマーキングして表示するよう定める
ことを特徴とする請求項２に記載のドキュメント情報の表示方法。
【請求項４】
前記ユーザメタ情報には、
前記ドキュメントビューワーを使用する当該ユーザの属性情報、当該ユーザへのドキュメント情報の配信履歴情報、及び当該ユーザの前記ドキュメント情報への操作履歴情報が含まれる
ことを特徴とする請求項１乃至３の何れか１項に記載のドキュメント情報の表示方法。
【請求項５】
前記表示手順情報は、
前記表示用ドキュメント情報が、当該ユーザへの配信履歴情報に存在するドキュメント情報の改訂版に相当する場合、あるいは同一のフォーマット版に相当する場合、前記ドキュメントメタ情報と比べて当該ユーザのユーザメタ情報をより反映するようにして前記表示用ドキュメント情報の表示順序を定める
ことを特徴とする請求項４に記載のドキュメント情報の表示方法。
【請求項６】
前記表示手順情報に従って表示を終えた前記表示用ドキュメント情報を再度表示する場合には、前記表示手順情報に拘わらず、前記表示用ドキュメント情報自体のページ順に従って表示する
ことを特徴とする請求項１乃至５の何れか１項に記載のドキュメント情報の表示方法。
【請求項７】
ドキュメントビューワーに複数のページで構成される表示用ドキュメント情報を送信する情報処理装置と、受信した前記表示用ドキュメント情報をページ単位で表示する前記ドキュメントビューワーと、を含むドキュメント情報の表示システムであって、
前記情報処理装置は、
前記表示用ドキュメント情報のページ表示順序を定める表示手順情報を生成する表示手順情報生成手段と、
前記表示手順情報を前記表示用ドキュメント情報とともに前記ドキュメントビューワーに送信する表示手順情報送信手段とを有し、
前記ドキュメントビューワーは、
受信した前記表示手順情報に従って、前記表示用ドキュメント情報のページを順次表示するドキュメント情報表示手段を有し、
前記表示手順情報生成手段は、
前記ドキュメントビューワーを使用するユーザの属性に関するユーザメタ情報と、前記表示用ドキュメント情報の内容に関するドキュメントメタ情報とに基づいて、前記表示手順情報を生成する
ことを特徴とするドキュメント情報の表示システム。
【請求項８】
前記ドキュメントメタ情報には、
前記表示用ドキュメント情報を構成するページ毎の重要度情報、セクション毎の重要度情報、または使用されるキーワード毎の重要度情報が含まれる
ことを特徴とする請求項７に記載のドキュメント情報の表示システム。
【請求項９】
前記表示手順情報は、
前記表示用ドキュメント情報の前記セクション単位での表示順序を定め、
前記セクションがページの途中から始まる場合は、当該セクションの開始位置にマーキングして表示するよう定める
ことを特徴とする請求項８に記載のドキュメント情報の表示システム。
【請求項１０】
前記ユーザメタ情報には、
前記ドキュメントビューワーを使用する当該ユーザの属性情報、当該ユーザへのドキュメント情報の配信履歴情報、及び当該ユーザの前記ドキュメント情報への操作履歴情報が含まれる
ことを特徴とする請求項７乃至９の何れか１項に記載のドキュメント情報の表示システム。
【請求項１１】
前記表示手順情報は、
前記表示用ドキュメント情報が、当該ユーザへの配信履歴情報に存在するドキュメント情報の改訂版に相当する場合、あるいは同一のフォーマット版に相当する場合、前記ドキュメントメタ情報と比べて当該ユーザのユーザメタ情報をより反映するようにして前記表示用ドキュメント情報の表示順序を定める
ことを特徴とする請求項１０に記載のドキュメント情報の表示システム。
【請求項１２】
前記ドキュメント情報表示手段は、
前記表示手順情報に従って表示を終えた前記表示用ドキュメント情報を再度表示する場合には、前記表示手順情報に拘わらず、前記表示用ドキュメント情報自体のページ順に従って表示する
ことを特徴とする請求項７乃至１１の何れか１項に記載のドキュメント情報の表示システム。
【発明の詳細な説明】
【技術分野】
【０００１】
本発明は、複数のページで構成される表示用ドキュメント情報を情報処理装置からドキュメントビューワーに送信し、ページ単位で表示する、ドキュメント情報の表示方法、及び表示システムに関する。
【背景技術】
【０００２】
近年、ディスプレイ装置にドキュメントを表示して読むことが多く行われるようになってきた。そういったドキュメントを表示するための機器として、設置型のコンピュータから、持ち運び可能なラップトップ型のコンピュータ、または、小型のディスプレイを備えたＰＤＡのような端末まで、数多くの種類の表示装置が利用されている。
【０００３】
情報端末機器の小型化、軽量化に伴い、さらに、持ち運びが容易で、楽に閲覧できて、長時間駆動できるような表示装置が望まれる。例えばＰＣ（パーソナルコンピュータ）などのディスプレイは固定式であり、ドキュメントを読むには姿勢の自由度がないため、疲れやすいという難点がある。ドキュメント表示用には、特に軽量薄型のビューワーが望ましい。
【０００４】
しかしながら、ドキュメント表示用にビューワーを小型軽量化しようとしても、従来の表示装置（例えばＰＣ）と同じ機能、同じアプリケーションを搭載しようとすると、望まれる軽量、薄型の達成が困難である。そのため、ドキュメントビューワーを表示端末として、機能を簡素化し、負荷を減らすような対策が講じられてきた。
【０００５】
例えば、ドキュメントビューワーの表示フォーマットとして、アプリケーションの印刷出力イメージ（ページ単位）をそのまま使用することで、ドキュメントのデータを表示画像化するＣＰＵの負荷を減らすことが考えられてきた。また、ドキュメントビューワーの表示を省電力化するために、電子ペーパなどの書き換え時以外は電力を要しない表示が可能なデバイスが用いられてきている。
【０００６】
しかしながら、こういったドキュメントビューワーの利用形態として、表示するドキュメントの多くは、複数のユーザを対象として、複数のドキュメントビューワーに送信され、表示されている。すなわち各ユーザは、それぞれのドキュメントビューワーで、同じドキュメント情報を、各自のペースでページ送りしながら表示し、読んでいる。
【０００７】
こういった、特に複数のページにより構成されたドキュメントの場合、ユーザ毎に、ドキュメントに含まれている情報の内の自分に関係する内容、重要な部分が異なり、ユーザによっては通常のページ順に読んでいたのでは、なかなか関係する重要部分に到達しない場合がある。
【０００８】
また前述したように、電子ペーパ等の省電力表示デバイスでは、一般にドキュメント表示のページ送りに時間が掛かる場合があり、自分に関係する重要部分に到達できる速度というのは問題である。同じドキュメント情報であっても、各ユーザに合わせて関係する重要部分のページから優先的に表示できることが望ましい。
【０００９】
複数のユーザに情報送信する場合、各ユーザに応じて送信内容をカスタム化する技術が開発されている。
【００１０】
例えば特許文献１に記載の技術によれば、送信する複数のメッセージに対して、各ユーザの学習済み重要度に従い、優先度決定または順序づけを行うよう訓練可能な分類装置が提供される。また、それらのメッセージがユーザにどのように表示、処理されるかの表示オプションも提供される。
【００１１】
また特許文献２に記載の技術によれば、インターネット及びプライベートなネットワーク上で情報を配信する場合に、配信される各クライアントがネットワークにアクセスした情報のプロファイルを参照して各ユーザに対してカスタム化された配信情報を形成する。
【特許文献１】特開２００３−２４８６４７号公報
【特許文献２】特表２００２−５２２８２９号公報
【発明の開示】
【発明が解決しようとする課題】
【００１２】
上述したように、ドキュメントビューワーの小型軽量化のため、機能を簡素化することで、各ユーザがドキュメント表示を読みやすくなってきているが、一方、表示装置としての処理能力はある程度制限されることになってしまう。
【００１３】
また、複数のページで構成された同一のドキュメント情報を多数のユーザに送信するような利用形態が多いが、ユーザ毎に必要とする重要な情報部分が異なるため、普通にページ送りしていると時間が掛かりすぎるような問題も起こり得る。
【００１４】
各ユーザの特性に対応するため、特許文献１や２に記載の技術が提案されてきた。しかしながらこれらの技術も、送信する情報をカスタム化する動作を伴うため、負担の大きい処理となってしまう。より簡便に、より負荷の少ない処理で、表示の優先順を制御し、各ユーザにそれぞれの必要な情報部分を的確迅速に表示して提供できることが望まれる。
【００１５】
本発明の目的は、上記の課題を解決し、各ドキュメントビューワーを利用するユーザの特性に合わせて、複数のページで構成されたドキュメントの表示手順を制御し、最適化することで、ユーザが表示されたドキュメント情報から必要とする重要情報を取得する手間と時間を短縮し、効率的に理解を得ることのできるドキュメント情報の表示方法及び表示システムを提供することである。
【課題を解決するための手段】
【００１６】
本発明は、上記の課題を解決するために、以下の特徴を有するものである。
【００１７】
１．  情報処理装置がドキュメントビューワーに複数のページで構成される表示用ドキュメント情報を送信し、前記ドキュメントビューワーが受信した前記表示用ドキュメント情報をページ単位で表示する、ドキュメント情報の表示方法であって、前記情報処理装置が、前記表示用ドキュメント情報のページ表示順序を定める表示手順情報を生成する表示手順情報生成工程と、前記表示手順情報を前記表示用ドキュメント情報とともに前記ドキュメントビューワーに送信する表示手順情報送信工程と、前記ドキュメントビューワーが、受信した前記表示手順情報に従って、前記表示用ドキュメント情報のページを順次表示するドキュメント情報表示工程とを備え、前記表示手順情報生成工程では、前記ドキュメントビューワーを使用するユーザの属性に関するユーザメタ情報と、前記表示用ドキュメント情報の内容に関するドキュメントメタ情報とに基づいて、前記表示手順情報を生成することを特徴とするドキュメント情報の表示方法。
【００１８】
２．  前記ドキュメントメタ情報には、前記表示用ドキュメント情報を構成するページ毎の重要度情報、セクション毎の重要度情報、または使用されるキーワード毎の重要度情報が含まれることを特徴とする１に記載のドキュメント情報の表示方法。
【００１９】
３．  前記表示手順情報は、前記表示用ドキュメント情報の前記セクション単位での表示順序を定め、前記セクションがページの途中から始まる場合は、当該セクションの開始位置にマーキングして表示するよう定めることを特徴とする２に記載のドキュメント情報の表示方法。
【００２０】
４．  前記ユーザメタ情報には、前記ドキュメントビューワーを使用する当該ユーザの属性情報、当該ユーザへのドキュメント情報の配信履歴情報、及び当該ユーザの前記ドキュメント情報への操作履歴情報が含まれることを特徴とする１乃至３の何れか１項に記載のドキュメント情報の表示方法。
【００２１】
５．  前記表示手順情報は、前記表示用ドキュメント情報が、当該ユーザへの配信履歴情報に存在するドキュメント情報の改訂版に相当する場合、あるいは同一のフォーマット版に相当する場合、前記ドキュメントメタ情報と比べて当該ユーザのユーザメタ情報をより反映するようにして前記表示用ドキュメント情報の表示順序を定めることを特徴とする４に記載のドキュメント情報の表示方法。
【００２２】
６．  前記表示手順情報に従って表示を終えた前記表示用ドキュメント情報を再度表示する場合には、前記表示手順情報に拘わらず、前記表示用ドキュメント情報自体のページ順に従って表示することを特徴とする１乃至５の何れか１項に記載のドキュメント情報の表示方法。
【００２３】
７．  ドキュメントビューワーに複数のページで構成される表示用ドキュメント情報を送信する情報処理装置と、受信した前記表示用ドキュメント情報をページ単位で表示する前記ドキュメントビューワーと、を含むドキュメント情報の表示システムであって、前記情報処理装置は、前記表示用ドキュメント情報のページ表示順序を定める表示手順情報を生成する表示手順情報生成手段と、前記表示手順情報を前記表示用ドキュメント情報とともに前記ドキュメントビューワーに送信する表示手順情報送信手段とを有し、前記ドキュメントビューワーは、受信した前記表示手順情報に従って、前記表示用ドキュメント情報のページを順次表示するドキュメント情報表示手段を有し、前記表示手順情報生成手段は、前記ドキュメントビューワーを使用するユーザの属性に関するユーザメタ情報と、前記表示用ドキュメント情報の内容に関するドキュメントメタ情報とに基づいて、前記表示手順情報を生成することを特徴とするドキュメント情報の表示システム。
【００２４】
８．  前記ドキュメントメタ情報には、前記表示用ドキュメント情報を構成するページ毎の重要度情報、セクション毎の重要度情報、または使用されるキーワード毎の重要度情報が含まれることを特徴とする７に記載のドキュメント情報の表示システム。
【００２５】
９．  前記表示手順情報は、前記表示用ドキュメント情報の前記セクション単位での表示順序を定め、前記セクションがページの途中から始まる場合は、当該セクションの開始位置にマーキングして表示するよう定めることを特徴とする８に記載のドキュメント情報の表示システム。
【００２６】
１０．  前記ユーザメタ情報には、前記ドキュメントビューワーを使用する当該ユーザの属性情報、当該ユーザへのドキュメント情報の配信履歴情報、及び当該ユーザの前記ドキュメント情報への操作履歴情報が含まれることを特徴とする７乃至９の何れか１項に記載のドキュメント情報の表示システム。
【００２７】
１１．  前記表示手順情報は、前記表示用ドキュメント情報が、当該ユーザへの配信履歴情報に存在するドキュメント情報の改訂版に相当する場合、あるいは同一のフォーマット版に相当する場合、前記ドキュメントメタ情報と比べて当該ユーザのユーザメタ情報をより反映するようにして前記表示用ドキュメント情報の表示順序を定めることを特徴とする１０に記載のドキュメント情報の表示システム。
【００２８】
１２．  前記ドキュメント情報表示手段は、前記表示手順情報に従って表示を終えた前記表示用ドキュメント情報を再度表示する場合には、前記表示手順情報に拘わらず、前記表示用ドキュメント情報自体のページ順に従って表示することを特徴とする７乃至１１の何れか１項に記載のドキュメント情報の表示システム。
【発明の効果】
【００２９】
本発明に係るドキュメント情報の表示方法及び表示システムによれば、各ユーザの属性に関するユーザメタ情報と、ドキュメント情報の内容に関するドキュメントメタ情報とに基づき生成した表示手順情報を、ドキュメント情報とともに送信し、各ユーザのドキュメントビューワーは受信したそれぞれの表示手順情報に従い、ページを順次表示する。
【００３０】
これにより、各ユーザの特性に合わせて、複数のページで構成されたドキュメントの表示手順を簡便に制御し、最適化することができる。すなわち、ユーザが表示されたドキュメント情報から必要とする重要情報を取得する手間と時間を短縮し、効率的にドキュメントの理解を得ることができる。
【発明を実施するための最良の形態】
【００３１】
本発明に係るドキュメント情報の表示方法及び表示システムの実施形態について、以下に図を参照して説明する。
【００３２】
（表示システムの装置外観構成）
本発明に係るドキュメント情報の表示方法を実施する表示システムの装置構成について、図１を用いて説明する。図１は、装置外観の概略構成例を説明するための図である。
【００３３】
図１において、２はドキュメントビューワーであり、１は情報処理装置である。
【００３４】
情報処理装置１は、ドキュメントとその関連情報などを図示しない記憶装置に保持しており、選択されたドキュメントのファイルを画像化してドキュメントビューワー２に送信し、ドキュメントビューワー２がそのドキュメント画像を表示する。
【００３５】
ドキュメントビューワー２は、表示パネル１０２を有する。表示パネル１０２は電子ペーパと呼ばれる類の低消費電力の表示デバイスで、情報処理装置１から受信したドキュメント画像などの表示情報を表示する。
【００３６】
また表示パネル１０２は、ユーザが操作入力するためのペン入力用のタッチパネルを、表示パネルと一体化して有する。１０６は入力用のペンであり、図１の表示パネル１０２には、ドキュメントが表示された例を示している。
【００３７】
ドキュメントビューワー２は、表示パネル１０２に表示する表示情報のページ送り、戻りを行うための操作ボタン１０３、１０４を有する。またドキュメントビューワー２は、情報処理装置１との間で通信を行うための無線通信装置１０５を有する。
【００３８】
（ドキュメントビューワーの構成）
ドキュメントビューワーのより詳細な構成について、図２を用いて説明する。図２はドキュメントビューワーの機能構成例を示すブロック図である。
【００３９】
図２において、１１１は画像データを表示するための表示パネルであり、１１２は表示パネル１１１を制御するための表示パネルコントローラであり、１１３は表示パネル１１１に表示される表示画像データを格納するためのフレームメモリ（表示用メモリ）である。フレームメモリ１１３はプログラム稼働時の作業用データの格納も行う。
【００４０】
表示パネルコントローラ１１２は、フレームメモリ１１３に格納された画像データを制御して、表示パネル１１１に表示させる。
【００４１】
図２において、１１４は表示パネル１１１越しに入力用のペン（図１の１０６参照）等を用いて操作を行うためのタッチパネルであり、１１５は装置全体がスリープモードで殆ど電力消費しない状態でも、タッチパネル１１４からの操作入力がないかどうかを監視するタッチパネルコントローラである。
【００４２】
１１６は作業用データを格納するためのＲＡＭ（作業用メモリ（ＳＤＲＡＭ））であり、１１７は表示装置全体の制御を行うプログラムを格納するＦｌａｓｈメモリ（ＦｌａｓｈＲＯＭ）である。１１８は作業用の情報処理装置１との通信を行うための、ＲＦ通信部（無線通信装置１０５）である。
【００４３】
ドキュメントビューワー２は、その他、ページ送りなどの操作を行うボタン１２０（図１の操作ボタン１０３、１０４等）、表示装置全体の制御を行う中央演算処理装置（ＣＰＵ）１２１、各種データ等を記憶するＲＯＭ１２２などを有して、構成されている。
【００４４】
（表示システムの機能構成）
図３は、本実施形態に係るドキュメント情報の表示システムの概略機能構成例を示す構成図である。図３を用いてドキュメント情報の表示システムの装置機能構成を説明する。
【００４５】
図３に示すように、本実施形態に係るドキュメント情報の表示システムは、情報処理装置であるドキュメントサーバ１と複数のクライアントとしての表示端末２（図３では１台のみ記載）とが無線ネットワークで接続されている。表示端末２は、装置としてドキュメントビューワーを用いており、以後ドキュメントビューワー２と呼称する。
【００４６】
それぞれのドキュメントビューワー２には表示部３と操作入力部４が含まれている。表示部３は、液晶パネルなどのディスプレイ装置であり、操作入力部４はタッチパネルや操作ボタンなどのユーザが操作可能な入力装置である。
【００４７】
情報処理装置であるドキュメントサーバ１とドキュメントビューワー２の詳細な機能構成のうち、ドキュメント情報表示の機能に関わる部分を以下に説明する。
【００４８】
なお、上記のように、ドキュメントサーバ１、ドキュメントビューワー２はそれぞれ情報処理装置であり、以下に説明する各手段の機能は、ドキュメント情報表示プログラムにより、コンピュータとしてのドキュメントサーバ１、ドキュメントビューワー２に、各機能を実行させることができる。
【００４９】
ドキュメントサーバ１の役割は、多数のドキュメント情報を保持し、ドキュメントビューワー２に対して、ドキュメント情報を送信する、あるいはドキュメントメタ情報やユーザメタ情報に基づいて表示手順情報の生成処理を行い、ドキュメントビューワー２に提供することである。ドキュメントサーバ１は、そのための記憶装置、制御装置、通信装置などをハードウェアとして擁しており、その機能を構成する部分は、大きくデータ保持部１０とデータ処理部２０とに分けて示すことができる。
【００５０】
データ保持部１０は、表示するための多数のドキュメント情報を保持しているドキュメント情報保持部１１と、それらのドキュメント情報についてドキュメントビューワー２での表示用に画像化処理された表示用ドキュメント情報を保持する表示用ドキュメント情報保持部１２とを備えている。
【００５１】
またデータ保持部１０は、表示用ドキュメント情報の内容に関するドキュメントメタ情報を保持するドキュメントメタ情報保持部１４と、それぞれのドキュメントビューワー２を使用するユーザの属性に関するユーザメタ情報を保持するユーザメタ情報保持部１５と、それらに基づいて生成された表示手順情報を保持する表示手順情報保持部１６とを備えている。
【００５２】
データ処理部２０は、ドキュメント情報保持部１１の保持するドキュメント情報をドキュメントビューワー２での表示のために画像化し、表示用ドキュメント情報を生成する表示用ドキュメント情報生成部２１と、ドキュメントメタ情報保持部１４の保持するドキュメントメタ情報とユーザメタ情報保持部１５の保持するユーザメタ情報とに基づいて表示手順情報を生成する表示手順情報生成部２３とを備えている。
【００５３】
従って、表示手順情報生成部２３は表示手順情報生成手段として機能する。
【００５４】
またデータ処理部２０は、表示用ドキュメント情報保持部１２の保持する表示用ドキュメント情報を表示手順情報保持部１６の保持する表示手順情報とともにドキュメントビューワー２に無線送信する通信部２４を備えている。通信部２４は表示手順情報送信手段として機能する。
【００５５】
ドキュメントビューワー２の役割は、多数のドキュメント情報を保持するドキュメントサーバ１から、表示用ドキュメント情報を受け取る、あるいは表示手順情報を合わせて受け取り、それに従い表示することである。ドキュメントビューワー２も、そのための記憶装置、制御装置、通信装置などを保有しており、その機能を構成する部分は、ドキュメントサーバ１と同様にデータ保持部３０とデータ処理部４０とに分けて示すことができる。
【００５６】
データ保持部３０は、ドキュメントサーバ１より受け取った表示用ドキュメント情報を保持する表示用ドキュメント情報保持部３１と、同じく受け取った表示手順情報を保持する表示手順情報保持部３２を備えている。
【００５７】
またデータ保持部３０は、ドキュメントビューワー２でのドキュメント表示に際してのユーザの操作履歴を保持する操作履歴保持部３３を備えている。保持される操作履歴は、ドキュメントサーバ１に送られ、ユーザメタ情報として利用される。
【００５８】
データ処理部４０は、表示手順情報保持部３２の保持する表示手順情報に従って、表示用ドキュメント情報保持部３１の保持する表示用ドキュメント情報を表示する表示部３を備えている。従って、表示部３はドキュメント情報表示手段として機能する。
【００５９】
またデータ処理部４０は、ドキュメントサーバ１より表示用ドキュメント情報と表示手順情報を受信する通信部４１を備えている。また、表示部３による表示用ドキュメント情報の表示に対してユーザが操作入力するための操作入力部４を備えている。
【００６０】
以上、本実施形態では、情報処理装置であるドキュメントサーバ１と複数のドキュメントビューワー２がネットワーク接続されているドキュメント情報の表示システムの機能構成について説明したが、システムの構成はこれに限定されるものではなく、同様の機能を有する構成であればよい。
【００６１】
（表示方法の概略）
本実施形態に係るドキュメント情報の表示方法の概略について説明する。図４には、本実施形態に係るドキュメント情報の表示方法の概略動作フローを示す。
【００６２】
本表示システムの表示の動作フローは、大きくは図４に示す３つのステップによって表される。
【００６３】
第１のステップＳ１は、ドキュメントサーバ１が、送信先のドキュメントビューワー２に応じて、送信する表示用ドキュメント情報の表示手順情報を生成する表示手順情報生成工程である。
【００６４】
第２のステップＳ２は、ドキュメントサーバ１が、生成した表示手順情報を表示用ドキュメント情報とともに対応するドキュメントビューワー２に送信する表示手順情報送信工程である。
【００６５】
第３のステップＳ３は、ドキュメントビューワー２が、それぞれ受信した表示手順情報に従って、表示用ドキュメント情報のページを順次表示するドキュメント情報表示工程である。
【００６６】
但し、ここで表示手順情報は、送信先のドキュメントビューワー２を使用するユーザの属性に関するユーザメタ情報と、送信する表示用ドキュメント情報の内容に関するドキュメントメタ情報とに基づいて生成される。
【００６７】
各ステップを詳細に説明する前に、表示手順情報を生成し、それに従って表示することの意図を説明する。
【００６８】
ドキュメントサーバ１が送信する表示用ドキュメント情報は、ドキュメント情報を表示用に画像化したものである。例えば、アプリケーションでの印刷用出力イメージをそのまま表示用ドキュメント情報とする。これにより、表示するドキュメントビューワー２のＣＰＵの負荷を低減することができ、省電力設計の薄型のビューワーを実現することができる。
【００６９】
従って例えば、表示用ドキュメント情報は印刷用の複数のページ画像で構成される。ドキュメントビューワー２はこれらを１ページずつ、順次表示していく表示形態となる。各ユーザはそれぞれの使用するドキュメントビューワー２に、受信した表示用ドキュメント情報を各ユーザのペースでページ送りしながら表示し、読んでいくことになる。
【００７０】
また一方、ドキュメントサーバ１が送信する表示用ドキュメント情報は、多数のドキュメントビューワー２、すなわち多数のユーザに向けて送信される。多数のユーザは、それぞれ異なった特性を有するものであり、それぞれにとって重要な情報は少しずつ異なるものであるが、それらを一括して含むような表示用ドキュメント情報を、多数のユーザに向けて一斉に配信することが一般的に行われる。
【００７１】
これは送信する表示用ドキュメント情報を各ユーザに合わせてカスタム化するのは、余りに手間が掛かりすぎることによる。しかしながら、受け取ったユーザの方では、実際に表示してみるまで表示用ドキュメント情報の内容を知らないのであるから、ページ順に読んでいては、各ユーザにとって重要な部分に到達するのに効率が悪すぎるケースが生じてくる。
【００７２】
例えば、多くのセクションにまたがるプロジェクトの情報共有のための資料などを想定するとよい。受信するユーザは、開発の担当者から営業の担当者まで広範囲に渡るが、各担当者が資料に含まれている関係する情報を即時に理解して、アクションを取らなければならないような場合もある。
【００７３】
従って上記のステップのように、ドキュメント情報自体はそのまま共通で、表示手順、すなわちページを表示する順序のみをカスタム化した表示手順情報を作成し、表示用ドキュメント情報とともに送信し、それに従い表示する。
【００７４】
これにより、ユーザ毎にドキュメントを作成するような手間を掛けず、また共有すべき情報が抜ける恐れもあるドキュメントのカスタム化を行わず、迅速に、かつ簡便に各ユーザに必要情報が早く表示されるようにすることができる。
【００７５】
表示手順情報を、送信先のドキュメントビューワー２を使用するユーザの属性に関するユーザメタ情報と、送信する表示用ドキュメント情報の内容に関するドキュメントメタ情報とに基づいて生成する詳細については、後述する。
【００７６】
なおここでは、特定のドキュメントビューワー２を特定のユーザが使用するという形態を想定している。これにより特定のビューワーを介して特定のユーザに関する情報のやり取りを簡単に行える。
【００７７】
特定のユーザによる特定のビューワーの使用を保証するために、それぞれのドキュメントビューワー２に特定の単一ユーザのみ閲覧可能にする機能が一般に備えられる。例えば、ドキュメントビューワー２に特定のユーザのみに開示されたＩＤを入力することで、特定のユーザと判断し、閲覧可能とするような機能である。
【００７８】
次に、上記の第１乃至第３のステップ、すなわち表示手順情報生成工程、表示手順情報送信工程、及びドキュメント情報表示工程について説明する。
【００７９】
（表示手順情報生成処理のフロー）
図５は表示手順情報生成工程の処理手順を示すフローチャートである。図５を用いて表示手順情報生成工程の処理手順を説明する。
【００８０】
手順の概要としては、複数のページで構成されるドキュメント情報をセクション単位で重要度評価し、評価値の高いセクション順にページが順次表示されるような表示手順を生成する。その際、評価値を算出する段階でドキュメントメタ情報とユーザメタ情報を利用し、それぞれのユーザ（すなわちドキュメントビューワー）にとって重要なセクションの評価値が高くなるように評価する。
【００８１】
以下、ある特定のユーザ（特定のドキュメントビューワー）に対して、ある表示用ドキュメント情報の表示手順情報を生成する処理手順を、図５のフローチャートに従って説明する。
【００８２】
まずステップＳ１１で、ドキュメントサーバ１の表示手順生成部２１は、ドキュメントメタ情報保持部１４とユーザメタ情報保持部１５から、それぞれドキュメントメタ情報とユーザメタ情報を読み込む。
【００８３】
ユーザメタ情報は、送信先のドキュメントビューワー２に対応する特定ユーザのユーザメタ情報である。後述するようにドキュメント情報の任意のセクション（または任意のページ）の当該ユーザにとっての重要度を判断するための情報である。
【００８４】
読み込んだ情報は、後のステップＳ１３やステップＳ２１、ステップＳ２５などでの評価値算出に用いる。
【００８５】
以下のステップの処理は、すべてドキュメントサーバ１の表示手順情報生成部２１が行う。
【００８６】
ステップＳ１２では、表示用ドキュメント情報に対して、評価するページを設定する。まずポインターＰをＰ＝１に設定して、順次ポインターを増やしていくことにより、１ページ目から順に最終ページまでの評価を行うことにする。
【００８７】
但し、ページ単位で評価していくが、最終的にはセクション単位の評価値で表示手順情報を生成する。従ってセクションの開始ページＰｓを現在の評価ページＰに設定する（Ｐｓ＝Ｐ）。また、セクションの評価値を該当するページ評価値Ｓの総和ΣＳと考えて、初期値ゼロに設定する（ΣＳ＝０）。
【００８８】
次にステップＳ１３で、ポインターＰの示す評価ページの評価値Ｓを算出する。評価値は、ドキュメントメタ情報やユーザメタ情報に基づくそのページの重要度、そのセクションの重要度、出現するキーワードの重要度などから算出する。
【００８９】
評価値Ｓの算出方法については、詳細な具体例を後述する。
【００９０】
ステップＳ１４では、ページの評価値Ｓを累計する（ΣＳ＝ΣＳ＋Ｓ）。すなわち、セクション単位での評価値を求めるために、ポインターＰに対応してページ毎の評価値Ｓを加算していくのである。
【００９１】
ステップＳ１５では、現在のページＰの評価が終わったので、次の評価ページに移る。すなわち、ポインターを１つ上げる（Ｐ＝Ｐ＋１）。
【００９２】
次にステップＳ１６では、表示用ドキュメント情報の最終ページまで評価を終えているかどうかを判定する。すなわち、「Ｐ＞最後のページ」であるかどうかを判定する。ＹＥＳであれば最後のページは評価済みであり、ページＰは存在しない。ＮＯであれば評価すべきページＰが残っていることになる。
【００９３】
ステップＳ１６で最後のページが評価済みの場合（ステップＳ１６；ＹＥＳ）は、ステップＳ２６を実行する。ステップＳ２６では最後のセクションの評価終了処理として、セクションの終了ページＰｅを前のページに設定し（Ｐｅ＝Ｐ−１）、セクションの開始ページＰｓ、終了ページＰｅ、累計した評価値ΣＳを記録する。
【００９４】
さらにステップＳ２７では、ここまでに評価し、記録してきた表示用ドキュメント情報の各セクションを、その評価値の高い順にソートし、並べ替える。すなわち、評価値の高いセクション順にページ表示するように表示手順情報を生成する。
【００９５】
これで当該ユーザに対する表示用ドキュメント情報の表示手順情報の生成は終了する。
【００９６】
一方、ステップＳ１６で評価するページが残っている場合（ステップＳ１６；ＮＯ）は、ステップＳ１７へ進む。
【００９７】
ステップＳ１７では、評価するページＰにセクション開始情報があるかどうかを判定する。判定は、ドキュメントメタ情報を参照して判定してもよい。判定の目的は、セクションが開始するなら、それまでのセクションの評価を終え、次のセクションの評価に移る処理を行うためである。
【００９８】
ステップＳ１７でセクション開始情報がある場合（ステップＳ１７；ＹＥＳ）は、次のステップＳ１８に進み、現在のセクションの評価を終える方向の処理へ向かう。
【００９９】
ステップＳ１７でセクション開始情報がない場合（ステップＳ１７；ＮＯ）は、ステップＳ１３に戻り、以後のステップを繰り返す。すなわち、ポインターＰに従ってページ評価を繰り返し、現在のセクションの評価を進めていく。
【０１００】
ステップＳ１８では、セクション開始情報が評価するページの最初であるかどうかを判定する。最初であればそれまでのセクションの評価を終了処理するし、途中であれば、ページを途中で分けて、前後で２つのセクションの評価を切り換える必要がある。
【０１０１】
ステップＳ１８でセクション開始情報がページの最初である場合（ステップＳ１８；ＹＥＳ）は、ステップＳ１９へ進む。
【０１０２】
ステップＳ１９では、それまでのセクションの評価を終了処理する。セクションの終了ページＰｅを前のページに設定し（Ｐｅ＝Ｐ−１）、セクションの開始ページＰｓ、終了ページＰｅ、累計した評価値ΣＳを記録する。
【０１０３】
次に、ステップＳ２０で次のセクションの評価に移り、新たなセクションの開始ページＰｓとして現在の評価ページＰを設定し（Ｐｓ＝Ｐ）、セクションの評価値ΣＳを初期値ゼロに設定する（ΣＳ＝０）。
【０１０４】
その後、ステップＳ１３に戻り、以後のステップを繰り返す。すなわち、ポインターＰに従ってページ評価を繰り返し、新たなセクションの評価を進めていく。
【０１０５】
一方、ステップＳ１８でセクション開始情報がページの最初にない場合（ステップＳ１８；ＮＯ）は、ステップＳ２１へ進む。すなわち、そのページを途中で分けて、前後で２つのセクションの評価を切り換える処理へ向かう。
【０１０６】
ステップＳ２１では、次のセクションが始まるまで、すなわち現在のセクションが終了するまでのページ部分について評価値Ｓを算出する。評価値は、ステップＳ１３と同様に、ドキュメントメタ情報やユーザメタ情報に基づくそのページの重要度、そのセクションの重要度、出現するキーワードの重要度などから算出する。
【０１０７】
ステップＳ２２では、ページの評価値Ｓを累計する（ΣＳ＝ΣＳ＋Ｓ）。すなわち、そのセクションの累計評価値を求めるために、そのセクションの最後のページ部分の評価値Ｓを加算するのである。
【０１０８】
ステップＳ２３では、セクションの評価を終了処理する。セクションの終了ページＰｅを現在のページに設定し（Ｐｅ＝Ｐ）、セクションの開始ページＰｓ、終了ページＰｅ、累計した評価値ΣＳを記録する。
【０１０９】
ステップＳ２４では、現在のページＰの前のセクション部分の評価が終わったので、現在のページの次のセクション部分の評価に移る。そのため、新たなセクションの開始ページＰｓとして現在の評価ページＰを設定し（Ｐｓ＝Ｐ）、セクションの評価値ΣＳを初期値ゼロに設定する（ΣＳ＝０）。
【０１１０】
ステップＳ２５では、前のセクションが終わった後、すなわち新たなセクションが開始してからのページ部分について評価値Ｓを算出する。評価値は、ステップＳ１３やステップＳ２１と同様に算出する。
【０１１１】
その後、ステップＳ１４に戻り、それ以後のステップを繰り返す。すなわち、ポインターＰに従ってページ評価を繰り返し、新たなセクションの評価を進めていく。
【０１１２】
最終的にステップＳ１６でドキュメント情報の最後のページが終了すれば、上述のようにステップＳ２６へ進み、この表示手順情報の生成処理は終了する。
【０１１３】
（表示手順情報送信処理）
上記手順で生成された表示手順情報は、ドキュメントサーバ１の表示手順情報保持部１６に保持される。このようにして、表示手順情報保持部１６には、表示用ドキュメント情報を送信する各ユーザ（各ドキュメントビューワー）に対応して、それぞれ表示手順情報が保持されることになる。
【０１１４】
一方、ドキュメント情報保持部１１の保持するドキュメント情報が、表示用ドキュメント情報生成部２１で画像化され、複数ページで構成された表示用ドキュメント情報として表示用ドキュメント情報保持部１２に保持されている。
【０１１５】
この表示用ドキュメント情報を各ドキュメントビューワーに、それぞれのドキュメントビューワーのユーザに対応して生成された表示手順情報と合わせて、通信部２４が送信する。
【０１１６】
ドキュメントビューワー２側では、通信部４１が表示用ドキュメント情報と表示手順情報とを受信し、それぞれ表示用ドキュメント情報保持部３１と表示手順情報保持部３２に保持する。
【０１１７】
（ドキュメント情報表示処理のフロー）
図６はドキュメント情報表示工程の処理手順を示すフローチャートである。図６を用いてドキュメント情報表示工程の処理手順を説明する。
【０１１８】
手順の概要としては、複数のページで構成される表示用ドキュメント情報を表示手順情報で示されるセクション順に従って表示する。その際、表示手順情報は、それぞれのユーザ（すなわちドキュメントビューワー）にとって重要なセクションの評価値が高い順に表示するよう順序化されており、ユーザは重要なセクションから順に読むことができる。
【０１１９】
以下、ある特定のユーザ（特定のドキュメントビューワー）の下で、表示手順情報に従って、表示用ドキュメント情報が表示されていく処理手順を、図６のフローチャートに従って説明する。
【０１２０】
まずステップＳ３１で、ドキュメントビューワー２の表示部３は、表示のためのアプリケーションを起動する。ステップＳ３２で、アプリケーションにより、表示部３に、配信され、表示用ドキュメント保持部３１に保持されている表示用ドキュメント情報のリストが表示される。
【０１２１】
ステップＳ３３でユーザは操作入力部４を用いて、表示する表示用ドキュメント情報を選択する。ステップＳ３４で表示部３は、選択された表示用ドキュメント情報を表示用ドキュメント保持部３１から読み込む。
【０１２２】
次にステップＳ３５で、選択された表示用ドキュメント情報に対応する表示手順情報が、表示手順情報保持部３２に存在するかどうかを判定する。
【０１２３】
ステップＳ３５で表示手順情報があれば（ステップＳ３５；ＹＥＳ）、ステップＳ３７に進み、表示手順情報に従った表示処理を進める。
【０１２４】
ステップＳ３５で表示手順情報がなければ（ステップＳ３５；ＮＯ）、ステップＳ３６を実行する。ステップＳ３６は通常のページ送り制御であり、ユーザの操作入力により、表示用ドキュメント情報自体のページ順に従ってページ表示を進める。
【０１２５】
なお、ステップＳ３５で表示手順情報があっても、選択された表示用ドキュメント情報を一度表示した履歴があるかどうかを判定し、再度表示するような場合にはステップＳ３６を実行し、通常のページ送り制御を行うようにしてもよい。表示の履歴は、後述する操作履歴保持部３３が保持する操作履歴情報を参照することもできる。
【０１２６】
ステップＳ３７では、表示手順情報保持部３２に保持する表示手順情報を読み込み、表示ページ順を示すポインターを設定する。初期値としては、表示手順情報の最初のセクション（最も評価値の高かったセクション）を示すポインター設定となる。
【０１２７】
ステップＳ３８では、表示用ドキュメント情報のなかから、ポインターの示すセクションの開始ページＰｓを、例えばフレームメモリ１１３にページ読み込みする。
【０１２８】
ステップＳ３９で、表示部３は、表示用ドキュメント情報の読み込んだセクション開始ページを表示する。
【０１２９】
ステップＳ４０では、表示部３は、操作入力部４を用いてのユーザからのページ送り操作があるかどうかを判定する。ページ送り操作とは、例えばページ送りボタン１０４、ページ戻りボタン１０３などによる入力である。
【０１３０】
ステップＳ４０でページ送り操作があれば（ステップＳ４０；ＹＥＳ）、ステップＳ４１を実行する。ページ送り操作がなければ（ステップＳ４０；ＮＯ）、ステップＳ４０を繰り返し、ユーザからのページ送り操作（もしくは表示終了の操作）を待つ。
【０１３１】
ステップＳ４１では、ページ送り操作がセクション外への要求であるかどうかを判定する。セクション外への要求とは、ページ送り操作に従ってページを送る、あるいは戻すと、表示しているセクションから外れてしまうような場合である。そのような場合は評価値の一段高いセクションに戻す（ページ戻し）、または評価値の一段低いセクションに送る（ページ送り）操作が必要となる。
【０１３２】
従って、ステップＳ４１でページ送り操作がセクション外への要求である場合（ステップＳ４１；ＹＥＳ）は、ステップＳ４４へ進む。そうでない場合（ステップＳ４１；ＮＯ）は、ステップＳ４２を実行する。
【０１３３】
ステップＳ４２では、ページ送り、あるいはページ戻しの操作入力に従って、同じセクションの後のページもしくは前のページを読み込み、ステップＳ４３でページ表示を切り換える。その後、ステップＳ４０へ戻り、ユーザのページ送り操作を待つ。すなわち、以後のステップを繰り返す。
【０１３４】
一方、ステップＳ４４では、セクション外への要求が（後のセクションへの）送り操作（後のセクションへの）であるか（前のセクションへの）戻し操作であるかを判定する。
【０１３５】
戻し操作である場合（ステップＳ４４；ＹＥＳ）は、ステップＳ４６を実行し、ポインターを１つ下げる。すなわち、評価値の一段高いセクションに戻る。送り操作である場合（ステップＳ４４；ＮＯ）は、ステップＳ４５を実行し、ポインターを１つ上げる。すなわち、評価値の一段低いセクションに進む。
【０１３６】
ステップＳ４５、ステップＳ４６何れの場合にも、ポインターを１つ上げるか下げるかした後、ステップＳ３８に戻り、ポインターの示すセクションの開始ページを読み込み、表示する処理へと進む。以後のステップは繰り返しとなる。
【０１３７】
このようにユーザの操作入力に対して、表示手順情報に従ったページ表示が行われる。なおこのドキュメント情報表示工程自体を終了するには、操作入力部４を介して終了の入力を取得した時点で、終了処理に入るようにすればよい。それまでは表示をし続ける。
【０１３８】
このように、表示手順情報を生成しておき、表示手順情報に従ったページ表示を行うことで、各ユーザの特性に合わせて、複数のページで構成されたドキュメントの表示手順を簡便に制御し、最適化することができる。すなわち、ユーザが表示されたドキュメント情報から必要とする重要情報を取得する手間と時間を短縮し、効率的にドキュメントの理解を得ることができる。
【０１３９】
（評価値算出処理のフロー）
図７は評価ページの評価値Ｓ算出の処理例について説明するための図である。図７を用いて表示手順情報生成工程における評価値算出の処理例を説明する。
【０１４０】
手順の概要としては、評価値を、ドキュメントメタ情報やユーザメタ情報に基づくそのページの重要度、そのセクションの重要度、出現するキーワードの重要度などから算出する。
【０１４１】
評価の基になる重要度情報は、３項目ある。
１．ページ毎の重要度
２．セクション毎の重要度
３．キーワード毎の重要度
である。
【０１４２】
図７において、ドキュメント情報の内容に関する情報としてのドキュメントメタ情報５０には、例えばドキュメント属性情報５１と上記の３項目の重要度などが含まれる。ユーザの特性に関する情報としてのユーザメタ情報６０には、例えばユーザ属性情報、操作履歴情報、配信履歴情報などが含まれる。なおこれらからユーザ特性としての２項目の重要度（セクション毎の重要度、キーワード毎の重要度）が導出される。
【０１４３】
例えば、これらの重要度から評価値Ｓの算出式７０により評価値が求められる。
【０１４４】
各情報の具体例を説明する。
【０１４５】
＜ドキュメントメタ情報の例＞
表１は、ドキュメントメタ情報の具体例を示す。
【０１４６】
【表１】
2010026691.tif 000003
【０１４７】
ドキュメント属性情報５１としてはドキュメントのタイトル、作成者、作成日時、その他ドキュメントファイルに関わる属性情報が挙げられる。これらは各ユーザにとってそのドキュメントの位置づけを規定するのに利用できる。例えば過去の配信履歴情報６３を参照して、一致あるいは類似したものがあるかどうかで重要度に、あるいはその重み付けに反映することができる。
【０１４８】
またドキュメント属性情報５１としては、セクション毎の標題、ページ情報、位置情報などが挙げられる。これらはセクション単位で評価を進めるのに利用できる情報である。
【０１４９】
また出現キーワードとそれに関するページ情報、位置情報なども挙げられる。評価すべきキーワードとそのページ、位置を特定し、キーワード重要度に反映する。
【０１５０】
重要度情報としては、例えば上述した３項目が挙げられる。
【０１５１】
表２には、ページ毎の重要度情報の例を示す。
【０１５２】
【表２】
2010026691.tif 000004
【０１５３】
各ページ番号に対してその重要度が１から１０の数値で示されている。数値が大きいほど重要であり、ここでは最初にあるページほど重要度が大きく、後になるほど重要度が小さくなっている。共通して重要なページほど早めに配置するようにしていることによる。ユーザの観点とは別にドキュメントの有する重要度としてのページ配置である。
【０１５４】
表３には、セクション毎の重要度情報の例を示す。
【０１５５】
【表３】
2010026691.tif 000005
【０１５６】
各セクションの標題に対してそのセクションの重要度が、やはり１から１０の数値で示されている。これもドキュメント全体の内容から見た重要度の規定である。
【０１５７】
キーワード毎の重要度についても、例示しないが同様である。ドキュメント中に出現する重要なキーワードについて、ドキュメント全体の内容からそれぞれのキーワードの重要度を規定したものである。
【０１５８】
＜ユーザメタ情報の例＞
表４は、ユーザメタ情報の具体例を示す。
【０１５９】
【表４】
2010026691.tif 000006
【０１６０】
（当該ドキュメントビューワーを使用するユーザの）ユーザ属性情報６１としてはユーザ名、所属、クラス、役割、その他ユーザに関わる属性情報が挙げられる。これらは各ユーザにとってそのドキュメントの重要な部分を規定するのに利用できる。例えばユーザ側から見た各セクションの重要度、各キーワードの重要度を規定するのに反映することができる。
【０１６１】
また配信履歴情報６３としては、当該ユーザがこれまで読んだドキュメントの情報、セクションの情報、キーワードの情報などが挙げられる。これらは既述したようにドキュメントの属性情報と参照して各セクションやキーワードの重要度の規定に、あるいはその重み付けに反映することができる。
【０１６２】
また操作履歴情報６２としては、ユーザがそのドキュメントビューワーでのドキュメント情報の表示に関して、行った操作の履歴が挙げられる。例えば、ドキュメント自体、あるいは各セクション、各キーワード毎の操作時間や回数などである。これらも各セクションやキーワードの重要度の規定、あるいはその重み付けに利用することができる。
【０１６３】
例えばユーザの履歴情報の作成プロセス例を説明する。各ユーザは、配信されたドキュメントを上記のようにセクション毎に読むことができる。セクション毎に読んだ時間を記録することで、ユーザ履歴にそのセクションの重要度が評価記録されていく。
【０１６４】
キーワードについても同様に、そのキーワードを含むセクションを読んだ時間とそのキーワードに対するリアクションとを評価記録し、重要度とする。このリアクションには、例えばキーワードに対して下線を引くなど、タッチパネルを介してのキーワードへのリアクションを含む。
【０１６５】
これらのユーザ操作履歴情報は、ユーザがドキュメントを読み終わった後にドキュメントサーバに送信され、ユーザメタ情報として保持される。
【０１６６】
このようにユーザメタ情報を基にして、ユーザの観点からの各セクション及び各キーワードの重要度情報６４を導出することができる。表５には、ユーザメタ情報としてのセクション毎の重要度情報の例を示す。
【０１６７】
【表５】
2010026691.tif 000007
【０１６８】
各セクションの標題に対してそのセクションの重要度が、やはり１から１０の数値で示されている。これも当該ユーザの観点から見た重要度の規定である。
【０１６９】
キーワード毎の重要度についても、例示しないが同様である。ドキュメント中に出現する重要なキーワードについて、ユーザの観点からそれぞれのキーワードの重要度を規定したものである。
【０１７０】
＜各重要度情報からの評価値算出の例＞
ドキュメントメタ情報とユーザメタ情報における各重要度情報から評価値Ｓを算出する例を説明する。
【０１７１】
まず評価する範囲に対して、下記の３項目の重要度について演算する。
１．ページ毎の重要度＝ドキュメントメタ情報の該当ページの重要度
２．セクション毎の重要度＝該当セクションについての（ドキュメントメタ情報での重要度×ユーザメタ情報での重要度）
３．キーワード毎の重要度＝Σ各出現キーワードについての（ドキュメントメタ情報での重要度×ユーザメタ情報での重要度）
次いで、上記３項目の和をとり、評価値Ｓとする。また上記３項目に正規化、及び重み付けのための係数を掛けて和をとるようにしてもよい。
【０１７２】
また上記の重要度の演算については、次のようにしてもよい。
【０１７３】
ドキュメントメタ情報とユーザメタ情報とで、同じセクションに対して、あるいは同じキーワードに対して、重要度が規定されているとは限らない。しかし類似のセクション、類似のキーワードに対して重要度が規定されていることは多々あると考えられる。従って異なるセクション同士、あるいは異なるキーワード同士の関連度を想定し、それを距離関数として規定し、例えば以下のようにセクションの重要度を規定してもよい。
２．セクション毎の重要度＝Σ該当セクションについてのドキュメントメタ情報での重要度×距離関数×あるセクションについてのユーザメタ情報での重要度）
但し、Σは該当セクションとあるセクションについての組み合わせの総和である。
【０１７４】
表６にこの距離関数の例を示す。
【０１７５】
【表６】
2010026691.tif 000008
【０１７６】
縦軸がユーザメタ情報での各セクションであり、横軸がドキュメントメタ情報での各セクションである。表中の数値は、セクション同士の関連度を距離関数として１から１０の数値で表したものである。例えばユーザメタ情報での「課題」セクションは、ドキュメントメタ情報での「課題」セクションと関連度が大きく（標題が一致）、距離関数は最大の１０である。
【０１７７】
このように距離関数を定義しておくことで、ユーザメタ情報での各セクションの重要度情報を最大限に利用できる。ユーザメタ情報での各セクションの重要度は、配信履歴情報や操作履歴情報に基づいて規定されるので、当該ドキュメント情報と互いにセクションが十分に一致するとは限らないが、類似したセクションの重要度を有効に反映することができる。
【０１７８】
上記は、セクション間の距離関数設定について述べたが、同様にして出現するキーワードについてもキーワード間の距離関数を設定し、異なるキーワードの重要度をも反映するような評価値演算を行うことが可能である。
【０１７９】
なおキーワード間の距離関数については、ユーザメタ情報とドキュメントメタ情報とのすべてのキーワードの組み合わせの中から、その距離関数が最大となるキーワードの組み合わせを選び、その重要度を用いて上記評価値Ｓの算出に用いるようにしてもよい。
【０１８０】
また次のように、ユーザメタ情報の配信履歴情報などに基づいて、これまでに読んだドキュメント情報との類似度を利用するようにしてもよい。
【０１８１】
例えば、ユーザメタ情報の配信履歴情報内に当該ドキュメント情報と一致するものは存在しなくても、類似するドキュメント情報は存在することが考えられる。当該ドキュメント情報が配信履歴情報内に存在するドキュメント情報の改訂版である場合や、同一のフォーマット版であるようなケースがそうである。
【０１８２】
ドキュメント属性情報や配信履歴情報を参照して、上記のケースに該当すると判断された場合は、評価値の算出において、ユーザメタ情報における各セクションやキーワードの重要度あるいはそれらの重み付けに反映することが望ましい。
【０１８３】
こういった操作により、ユーザの履歴、すなわちユーザにとっての重要度をより反映して評価値を算出することができる。
【０１８４】
＜表示手順情報生成の例＞
上記のようにして算出した評価値に基づいて、表示手順情報を生成する例を説明する。
【０１８５】
【表７】
2010026691.tif 000009
【０１８６】
表７は、ドキュメント情報の各セクションの評価値を算出処理し、記録した例を示している。各セクション毎に開始ページ番号Ｐｓ、終了ページ番号Ｐｅ、評価値ΣＳが記録されている。評価値は１から１０の数値に正規化されており、数値が大きいほど評価が高い。
【０１８７】
このセクション毎の評価リストを評価値の高いセクション順に並べ替えるソート処理を行う。評価値の高いセクションほど早く表示するためである。
【０１８８】
【表８】
2010026691.tif 000010
【０１８９】
表８は、上記ソート処理を行った後の記録を示している。セクションの評価値が高い順に並んでいる。表示手順情報は少なくともこの情報を含むものである。
【０１９０】
表示手順としてはまず、セクション単位で順序が定まる。表８では「今後の要約」「開発状況」「開発課題」・・・という表示順序になる。
【０１９１】
セクションが複数ページにまたがる場合は、ページ順となる。表８の「開発状況」のセクションであれば、８、９、１０ページの順に表示する。
【０１９２】
このようにページ単位の表示となるが、セクションがページの途中から始まる、あるいは終わる場合もある。表示手順情報には開始ページとともにページのどの位置から開始するかの情報も含んでいることが望ましい。
【０１９３】
そうすればそのページを表示する際に、当該セクションの開始位置にマーキングして、一目で分かりやすく表示することができる。表８の「生産課題」のセクションであれば、１５ページの途中から開始しており、その位置にマーキング表示されることになる。
【０１９４】
上述のように、本実施形態に係るドキュメント情報の表示方法及び表示システムによれば、各ユーザの属性に関するユーザメタ情報と、ドキュメント情報の内容に関するドキュメントメタ情報とに基づき生成した表示手順情報を、ドキュメント情報とともに送信し、各ユーザのドキュメントビューワーは受信したそれぞれの表示手順情報に従い、ページを順次表示する。
【０１９５】
これにより、各ユーザの特性に合わせて、複数のページで構成されたドキュメントの表示手順を簡便に制御し、最適化することができる。すなわち、ユーザが表示されたドキュメント情報から必要とする重要情報を取得する手間と時間を短縮し、効率的にドキュメントの理解を得ることができる。
【０１９６】
なお上述の実施形態は、すべての点で例示であって制限的なものではない。本発明の範囲は上記した説明ではなく特許請求の範囲によって示され、特許請求の範囲と均等の意味及び範囲内でのすべての変更が含まれることが意図される。
【図面の簡単な説明】
【０１９７】
【図１】本実施形態に係るドキュメント情報の表示システムの装置外観の概略構成例を示す図である。
【図２】ドキュメントビューワーの構成例を示すブロック図である。
【図３】ドキュメント情報の表示システムの概略機能構成例を示す構成図である。
【図４】本実施形態に係るドキュメント情報の表示方法の概略動作フロー例を示す図である。
【図５】表示手順情報生成工程の処理手順を示すフローチャートである。
【図６】ドキュメント情報表示工程の処理手順を示すフローチャートである。
【図７】評価ページの評価値Ｓ算出の処理例について説明するための図である。
【符号の説明】
【０１９８】
１  ドキュメントサーバ
２  ドキュメントビューワー
３  表示部
４  操作入力部
１１  ドキュメント情報保持部
１２  表示用ドキュメント情報保持部
１４  ドキュメントメタ情報保持部
１５  ユーザメタ情報保持部
１６  表示手順情報保持部
２１  表示用ドキュメント情報生成部
２３  表示手順情報生成部
２４  通信部
３１  表示用ドキュメント情報保持部
３２  表示手順情報保持部
３３  操作履歴保持部
４１  通信部
１０２  表示パネル
１０３、１０４  操作ボタン
１０５  無線通信装置
【図１】
2010026691.tif 000011
【図２】
2010026691.tif 000012
【図３】
2010026691.tif 000013
【図４】
2010026691.tif 000014
【図５】
2010026691.tif 000015
【図６】
2010026691.tif 000016
【図７】
2010026691.tif 000017